(57)【要約】      （修正有）【課題】折りたたんだ後に体積が小さくなり、速く折りたたむことができ、構造がシンプルで使いやすい多機能折り畳みハンガーを提供する。【解決手段】フック１．１付きメインフレーム１と、メインフレーム１に回転可能に接続された左腕と右腕とを含み、左腕、右腕の開きや閉じを制御するためのスイッチコンポーネントが設けられ、左腕は、メインフレーム１に接続された左主腕３．１と、左主腕３．１の底部に回転可能に設置された左副腕３．２とを含み、右腕は、メインフレーム１に接続された右主腕４．１と、右主腕４．１の底部に回転可能に設置された右副腕４．２とを含み、前記スイッチコンポーネントは、スイッチ２．１と、スイッチ復帰を制御する弾性部品とを含み、スイッチ２．１の正面と裏面には左主腕３．１に係合した第１の突起部、及び右主腕４．１に係合した第２の突起部がそれぞれ設けられる。【選択図】図１
2020179111.tif 000002
【特許請求の範囲】
【請求項１】
フック付きメインフレームと、メインフレームに回転可能に接続された左腕と右腕とを含
み、前記左腕先端と右腕先端がそれぞれメインフレームに回転可能に接続され、メインフ
レームに左腕、右腕と接続して、左腕、右腕の開きや閉じを制御するためのスイッチコン
ポーネントが設けられ、
前記左腕は、メインフレームに接続された左主腕と、左主腕の底部に回転可能に設置され
た左副腕とを含み、右腕は、メインフレームに接続された右主腕と、右主腕の底部に回転
可能に設置された右副腕とを含み、
前記スイッチコンポーネントは、スイッチと、スイッチ復帰を制御する弾性部品とを含み
、スイッチの正面と裏面には左主腕に係合した第１の突起部、及び右主腕に係合した第２
の突起部がそれぞれ設けられる、ことを特徴とする多機能折り畳みハンガー。
【請求項２】
前記左主腕の先端内側中央にタブが設けられ、タブの先端に係合溝付き係合コネクタが設
けられ、右主腕の先端内側中央に穴の開いたボスが設けられ、右主腕の先端外側にタブの
貫通穴を貫通させた弾性係合爪が設けられ、メインフレームの底部に位置決め穴が設けら
れ、タブは位置決め穴を通した後にボスに挿入し、弾性係合爪の中央から係合コネクタが
突き出て、弾性係合爪が係合コネクタの係合溝に嵌め込まれる、ことを特徴とする請求項
１に記載の多機能折り畳みハンガー。
【請求項３】
前記左主腕と右主腕の先端の内左側には円弧状の溝がそれぞれ設けられ、円弧状の溝の上
下の両端にはそれぞれ第１のストッパ溝と第２のストッパ溝があり、円弧状の溝の内下端
にはフラップがあり、フラップの先端には第３のストッパ溝があり、左主腕における第１
のストッパ溝、第２のストッパ溝、第３のストッパ溝により第１の突起部が嵌め込まれ、
右主腕における第１のストッパ溝、第２のストッパ溝、第３のストッパ溝により第２の突
起部が嵌め込まれる、ことを特徴とする請求項２に記載の多機能折り畳みハンガー。
【請求項４】
前記メインフレームの底部正面に取付け溝が設けられ、取付け溝の上端と下端には第１の
収容溝とパンチ穴がそれぞれ設けられ、第２の突起部はパンチ穴を通して、またパンチ穴
と摺動可能に係合され、第１の収容溝の下端に第１のフラップが設けられ、前記スイッチ
の裏面に第２の収容溝が設けられ、第２の収容溝の先端に第２のフラップが設けられ、弾
性部品が第１の収容溝に収容され、弾性部品が第１のフラップと第２のフラップとの間に
係止されたように、弾性部品の一端が第２の収容溝に差し込まれ、スイッチの先端には取
付け溝の先端にある開口部に沿って透孔に延長される押え板があり、スイッチにはボスが
通り抜けてボスと摺動可能に係合されるスライド穴が設けられる、ことを特徴とする請求
項３に記載の多機能折り畳みハンガー。
【請求項５】
前記左主腕と右主腕の先端の内右側には円弧状の溝がそれぞれ設けられ、円弧状の溝の上
下の両端にはそれぞれ第２のストッパ溝と第１のストッパ溝があり、円弧状の溝の内上端
にはフラップがあり、フラップの下端には第３のストッパ溝があり、左主腕における第１
のストッパ溝、第２のストッパ溝、第３のストッパ溝により第１の突起部が嵌め込まれ、
右主腕における第１のストッパ溝、第２のストッパ溝、第３のストッパ溝により第２の突
起部が嵌め込まれる、ことを特徴とする請求項２に記載の多機能折り畳みハンガー。
【請求項６】
前記メインフレームの底部正面に取付け溝が設けられ、取付け溝の上端と下端にはパンチ
穴と第１の収容溝がそれぞれ設けられ、第２の突起部はパンチ穴を通して、またパンチ穴
と摺動可能に係合され、第１の収容溝の先端に第１のフラップが設けられ、前記スイッチ
の裏面に第２の収容溝が設けられ、第２の収容溝の下端に第２のフラップが設けられ、弾
性部品が第１の収容溝に収容され、弾性部品が第１のフラップと第２のフラップとの間に
係止されたように、弾性部品の一端が第２の収容溝に差し込まれ、スイッチの下端には取
付け溝の下端にある開口部から延長されるフックがあり、スイッチにはボスが通り抜けて
ボスと摺動可能に係合されるスライド穴が設けられる、ことを特徴とする請求項５に記載
の多機能折り畳みハンガー。
【請求項７】
前記弾性部品がバネである、ことを特徴とする請求項１−６のいずれか１つに記載の多機
能折り畳みハンガー。
【請求項８】
前記左主腕と右主腕の下端にピボットがそれぞれ設けられ、ピボットの前後両側にヒンジ
がそれぞれ設けられ、左副腕と右副腕の先端の前後両側に係合穴がそれぞれ設けられ、ヒ
ンジが係合穴に嵌め込まれて、係合穴と回転可能に係合され、
または、ピボットの前後両側には内側の穴がそれぞれ設けられ、左主腕と右主腕の先端の
前後両側の内壁には凸点がそれぞれ設けられ、凸点は内側の穴に嵌め込まれて、内側の穴
と回転可能に係合される、ことを特徴とする請求項１に記載の多機能折り畳みハンガー。
【請求項９】
前記左主腕と右主腕の下端のピボット底部にストッパがそれぞれ設けられ、左副腕と右副
腕の先端内に互いに接続している第１の弾性ブロックと第２の弾性ブロックが設けられ、
第１の弾性ブロックはブロックに近く、ブロックを遮るために用いられ、第１の弾性ブロ
ックと第２の弾性ブロックとの間にはブロックが嵌め込まれるための溝が形成される、こ
とを特徴とする請求項８に記載の多機能折り畳みハンガー。
【請求項１０】
前記左副腕と右副腕の内部にはそれぞれ中空になるように構成され、左副腕と右副腕に側
孔がそれぞれ設けられ、２つの側孔からフックの先端と下端をそれぞれ通させ、左主腕と
右主腕の外壁に収納溝がそれぞれ設けられ、２つの収納溝により左副腕と右副腕の先端が
それぞれ嵌め込まれる、ことを特徴とする請求項１に記載の多機能折り畳みハンガー。
【発明の詳細な説明】
【技術分野】
【０００１】
本発明は、ハンガーに関し、具体的には多機能折り畳みハンガーに関するものである。
【背景技術】
【０００２】
折り畳みハンガーは、普通のハンガーを基に、折りたたみ機能を加えたハンガーで、ハン
ガーを収納したり、ハンガーを衣服の中に差し込むことが容易になる。従来技術において
、多機能折り畳みハンガーは、一般的にフック付きメインフレームと、メインフレームに
回転可能に接続された２本の支持腕とを含み、収納の役割を果たすことはできるが、収納
後のハンガーの体積が大きいか、折りたたみがあまり速くないなどの問題があるので、さ
らなる改善が必要である。
【発明の概要】
【発明が解決しようとする課題】
【０００３】
上記従来技術の欠点に鑑みれば、本発明は、折りたたんだ後に体積が小さく、速く折りた
ためる多機能折り畳みハンガーを提供することを目的とする。
【課題を解決するための手段】
【０００４】
多機能折り畳みハンガーは、フック付きメインフレームと、メインフレームに回転可能に
接続された左腕と右腕とを含み、前記左腕先端と右腕先端がそれぞれメインフレームに回
転可能に接続され、メインフレームに左腕、右腕と接続して、左腕、右腕の開きや閉じを
制御するためのスイッチコンポーネントが設けられ、前記左腕は、メインフレームに接続
された左主腕と、左主腕の底部に回転可能に設置された左副腕とを含み、前記右腕は、メ
インフレームに接続された右主腕と、右主腕の底部に回転可能に設置された右副腕とを含
む。
【０００５】
前記スイッチコンポーネントは、スイッチと、スイッチ復帰を制御する弾性部品とを含み
、スイッチの正面と裏面には左主腕に係合した第１の突起部、及び右主腕に係合した第２
の突起部がそれぞれ設けられる。
【０００６】
さらに、前記左主腕の先端内側中央にタブが設けられ、タブの先端に係合溝付き係合コネ
クタが設けられ、右主腕の先端内側中央に穴の開いたボスが設けられ、右主腕の先端外側
にタブの貫通穴を貫通させた弾性係合爪が設けられ、メインフレームの底部に位置決め穴
が設けられ、タブは位置決め穴を通した後にボスに挿入し、弾性係合爪の中央から係合コ
ネクタが突き出て、弾性係合爪が係合コネクタの係合溝に嵌め込まれる。
【０００７】
さらに、前記左主腕と右主腕の先端の内左側には円弧状の溝がそれぞれ設けられ、円弧状
の溝の上下の両端にはそれぞれ第１のストッパ溝と第２のストッパ溝があり、円弧状の溝
の内下端にはフラップがあり、フラップの先端には第３のストッパ溝があり、左主腕にお
ける第１のストッパ溝、第２のストッパ溝、第３のストッパ溝により第１の突起部が嵌め
込まれ、右主腕における第１のストッパ溝、第２のストッパ溝、第３のストッパ溝により
第２の突起部が嵌め込まれる。
【０００８】
さらに、前記メインフレームの底部正面に取付け溝が設けられ、取付け溝の上端と下端に
は第１の収容溝とパンチ穴がそれぞれ設けられ、第２の突起部はパンチ穴を通して、また
パンチ穴と摺動可能に係合され、第１の収容溝の下端に第１のフラップが設けられ、前記
スイッチの裏面に第２の収容溝が設けられ、第２の収容溝の先端に第２のフラップが設け
られ、弾性部品が第１の収容溝に収容され、弾性部品が第１のフラップと第２のフラップ
との間に係止されたように、弾性部品の一端が第２の収容溝に差し込まれ、メインフレー
ムの中央には透孔があり、スイッチの先端には取付け溝の先端にある開口部に沿って透孔
に延長される押え板があり、スイッチの先端にはボスが通り抜けてボスと摺動可能に係合
されるスライド穴が設けられる。
【０００９】
さらに、前記左主腕と右主腕の先端の内右側には円弧状の溝がそれぞれ設けられ、円弧状
の溝の上下の両端にはそれぞれ第２のストッパ溝と第１のストッパ溝があり、円弧状の溝
の内下端にはフラップがあり、フラップの下端には第３のストッパ溝があり、左主腕にお
ける第１のストッパ溝、第２のストッパ溝、第３のストッパ溝により第１の突起部が嵌め
込まれ、右主腕における第１のストッパ溝、第２のストッパ溝、第３のストッパ溝により
第２の突起部が嵌め込まれる。
【００１０】
さらに、前記メインフレームの底部正面に取付け溝が設けられ、取付け溝の上端と下端に
はパンチ穴と第１の収容溝がそれぞれ設けられ、第２の突起部はパンチ穴を通して、また
パンチ穴と摺動可能に係合され、第１の収容溝の先端に第１のフラップが設けられ、前記
スイッチの裏面に第２の収容溝が設けられ、第２の収容溝の下端に第２のフラップが設け
られ、弾性部品が第１の収容溝に収容され、弾性部品が第１のフラップと第２のフラップ
との間に係止されたように、弾性部品の一端が第２の収容溝に差し込まれ、スイッチの下
端には取付け溝の下端にある開口部から延長されるフックがあり、スイッチにはボスが通
り抜けてボスと摺動可能に係合されるスライド穴が設けられる。
【００１１】
さらに、前記弾性部品はばねである。
【００１２】
さらに、前記左主腕と右主腕の下端にピボットがそれぞれ設けられ、ピボットの前後両側
にヒンジがそれぞれ設けられ、左副腕と右副腕の先端の前後両側に係合穴がそれぞれ設け
られ、ヒンジが係合穴に嵌め込まれて、係合穴と回転可能に係合される。
【００１３】
または、ピボットの前後両側には内側の穴がそれぞれ設けられ、左主腕と右主腕の先端の
前後両側の内壁には凸点がそれぞれ設けられ、凸点は内側の穴に嵌め込まれて、内側の穴
と回転可能に係合される。
【００１４】
さらに、前記左主腕と右主腕の下端のピボット底部にストッパがそれぞれ設けられ、左副
腕と右副腕の先端内に互いに接続している第１の弾性ブロックと第２の弾性ブロックが設
けられ、第１の弾性ブロックはストッパに近く、ストッパを遮るために用いられ、第１の
弾性ブロックと第２の弾性ブロックとの間にはストッパが嵌め込まれるための溝が形成さ
れる。
【００１５】
さらに、前記左副腕と右副腕の内部にはそれぞれ中空になるように構成され、左副腕と右
副腕に側孔がそれぞれ設けられ、２つの側孔からフックの先端と下端をそれぞれ通させ、
左主腕と右主腕の外壁に収納溝がそれぞれ設けられ、２つの収納溝により左副腕と右副腕
の先端がそれぞれ嵌め込まれる。
【００１６】
本発明にて提供される多機能折り畳みハンガーを適用する有益な効果は、使用時に、まず
左主腕、左副腕を二つ折りにして、右主腕、右副腕を二つ折りにすることで、折りたたま
れた左腕と右腕を１８０度回転させて、メインフレームに寄せて一体的に折りたたむこと
ができ、折りたたんだ後に体積が小さくなり、また、スイッチを押すと、スイッチにおけ
る第１の突起部、第２の突起部と左腕、右腕の組み合わせで、ハンガーを速く折りたたむ
ことができ、シンプルで使いやすい構造になることである。
【図面の簡単な説明】
【００１７】
【図１】本発明の実施例１に係る折りたたみ状態の全体構造概略図である。
【図２】本発明の実施例１に係る開いた状態の全体構造概略図である。
【図３】本発明の実施例１に係る閉じた状態の全体構造概略図である。
【図４】本発明の実施例１に係る前から後に見た分解概略図である。
【図５】本発明の実施例１に係る後から前に見た分解概略図である。
【図６】本発明の実施例１に係る複数のハンガーを一緒に使用した構造概略図である。
【図７】本発明の実施例１に係る右主腕と第２の突起部に係合した過程図である。
【図８】本発明の実施例２に係る折りたたみ状態の全体構造概略図である。
【図９】本発明の実施例２に係る開いた状態の全体構造概略図である。
【図１０】本発明の実施例２に係る閉じた状態の全体構造概略図である。
【図１１】本発明実施例２に係る前から後に見た分解概略図である。
【図１２】本発明の実施例２に係る後から前に見た分解概略図である。
【図１３】本発明の実施例３に係る右主腕と右副腕の取付けの概略図である。
【符号の説明】
【００１８】
１−メインフレーム、１．１−フック、１．２−透孔、２−スイッチコンポーネント、２
．１−スイッチ、２．２−ばね、３−左腕、３．１−左主腕、３．２−左副腕、４−右腕
、４．１−右主腕、４．２−右副腕、５−第１の突起部、６−第２の突起部、７−タブ、
８−係合コネクタ、８１−係合溝、９−ボス、１０−弾性係合爪、１１−位置決め穴、１
２−円弧状の溝、１２１−第１のストッパ溝、１２２−第２のストッパ溝、１２３−フラ
ップ、１２３１−第３のストッパ溝、１３−取付け溝、１４−第１の収容溝、１５−パン
チ穴、１６−第１のフラップ、１７−第２の収容溝、１８−第２のフラップ、１９−押え
板、２０−スライド穴、２１−フック、２２−ピボット、２３−ヒンジ、２４−係合穴、
２５−内側の穴、２６−凸点、２７−ストッパ、２８−第１の弾性ブロック、２９−第２
の弾性ブロック、３０−溝、３１−側孔、３２−収納溝。
【発明を実施するための形態】
【００１９】
本発明の技術案を直観的、完全に理解するために、本発明の添付図面を参照しながら非制
限的特徴を以下のように説明する。
【００２０】
実施例１．図１−図７に示すように、多機能折り畳みハンガーは、フック１．１付きメイ
ンフレーム１と、メインフレーム１に回転可能に接続された左腕３と右腕４とを含み、左
腕３先端と右腕４先端がそれぞれメインフレーム１に回転可能に接続され、メインフレー
ム１に左腕３、右腕４と接続して、左腕３、右腕４の開きや閉じを制御するためのスイッ
チコンポーネント２が設けられ、左腕３は、メインフレーム１に接続された左主腕３．１
と、左主腕３．１の底部に回転可能に設置された左副腕３．２とを含み、右腕４は、メイ
ンフレーム１に接続された右主腕４．１と、右主腕４．１の底部に回転可能に設置された
右副腕４．２とを含み、スイッチコンポーネント２は、スイッチ２．１と、スイッチ２．
１復帰を制御するばね２．２とを含み、スイッチ２．１の正面と裏面には左主腕３．１に
係合した第１の突起部５、及び右主腕４．１に係合した第２の突起部６がそれぞれ設けら
れる。
【００２１】
左主腕３．１の先端内側中央にタブ７が設けられ、タブ７の先端に係合溝８１付き係合コ
ネクタ８が設けられ、右主腕４．１の先端内側中央に穴の開いたボス９が設けられ、右主
腕４．１の先端外側にタブ７の貫通穴を貫通させた弾性係合爪１０が設けられ、メインフ
レーム１の底部に位置決め穴１１が設けられ、タブ７は位置決め穴１１を通した後にボス
９に挿入し、弾性係合爪１０の中央から係合コネクタ８が突き出て、弾性係合爪１０が係
合コネクタ８の係合溝８１に嵌め込まれる。弾性のあるプラスッチクシートである弾性係
合爪１０の締め付け力により左主腕３．１、右主腕４．１、メインフレーム１が一体的に
固定される。
【００２２】
左主腕３．１と右主腕４．１の先端の内左側には円弧状の溝１２がそれぞれ設けられ、円
弧状の溝１２の上下の両端にはそれぞれ第２のストッパ溝１２２と第１のストッパ溝１２
１があり、円弧状の溝１２の内上端にはフラップ１２３があり、フラップ１２３の下端に
は第３のストッパ溝１２３１があり、左主腕３．１における第１のストッパ溝１２１、第
２のストッパ溝１２２、第３のストッパ溝１２３１により第１の突起部５が嵌め込まれ、
右主腕４．１における第１のストッパ溝１２１、第２のストッパ溝１２２、第３のストッ
パ溝１２３１により第２の突起部６が嵌め込まれる。
【００２３】
メインフレーム１の底部正面に取付け溝１３が設けられ、取付け溝１３の上端と下端には
ロングパスホールであるパンチ穴１５と第１の収容溝１４がそれぞれ設けられ、第２の突
起部６はパンチ穴１５を通して、またパンチ穴１５と摺動可能に係合され、第１の収容溝
１４の先端に第１のフラップ１６が設けられ、スイッチ２．１の裏面に第２の収容溝１７
が設けられ、第２の収容溝１７の下端に第２のフラップ１８が設けられ、ばね２．２が第
１の収容溝１４に収納され、ばね２．２が第１のフラップ１６と第２のフラップ１８との
間に係止されたように、ばね２．２の一端が第２の収容溝１７に差し込まれ、スイッチ２
．１の下端には取付け溝１３の下端にある開口部から延長されるフック２１があり、スイ
ッチ２．１にはボス９が通り抜けてボス９と摺動可能に係合されるロングパスホールであ
るスライド穴２０が設けられる。フック２１を押し上げると、スイッチ２．１が上に移動
して、第２のフラップ１８がばね２．２を圧縮し、手を離したら、スイッチ２．１が復帰
する。
【００２４】
図１、図２、図３、図７に示すように、図１?図３は図７における右主腕４．１の３つの
状態にそれぞれ対応している。ハンガーは、図１に示される折りたたまれた状態の場合、
第２の突起部６が第１のストッパ溝１２１に嵌め込まれる。右腕４は、図２に示される開
き状態の場合、第２の突起部６が円弧状の溝１２に沿って第３のストッパ溝１２３１に滑
り込む。スイッチ２．１のフック２１を押し上げると、第２の突起部６が第３のストッパ
溝１２３１から外れて円弧状の溝１２に再び入り込み、図３に示される閉じた状態になる
ように右腕４を回して右腕４を閉め、第２の突起部６が第２のストッパ溝１２２に嵌め込
まれる。左腕３は右腕４と同じように機能する。
【００２５】
図６に示すように、複数のハンガーをスイッチ２．１上のフック２１及びメインフレーム
１上のフック１．１で一体的にかけることができる。
【００２６】
左主腕３．１と右主腕４．１の下端にピボット２２がそれぞれ設けられ、ピボット２２の
前後両側にヒンジ２３がそれぞれ設けられ、左副腕３．２と右副腕４．２の先端の前後両
側に係合穴２４がそれぞれ設けられ、ヒンジ２３が係合穴２４に嵌め込まれて、係合穴２
４と回転可能に係合される。左副腕３．２と右副腕４．２が回転する時、ヒンジ２３は係
合穴２４において回転することができる。
【００２７】
左主腕３．１と右主腕４．１の下端のピボット２２底部にストッパ２７がそれぞれ設けら
れ、左副腕３．２と右副腕４．２の先端内に互いに接続している第１の弾性ブロック２８
と第２の弾性ブロック２９が設けられる。
【００２８】
第１の弾性ブロック２８はストッパ２７に近く、ストッパ２７を遮るために用いられ、ハ
ンガーは、図２に示される開き状態の場合、第２の弾性ブロック２９が第１の弾性ブロッ
ク２８の外側にあり、第１の弾性ブロック２８と第２の弾性ブロック２９との間にはスト
ッパ２７が嵌め込まれるための溝３０が形成される。ストッパ２７が溝３０内に嵌め込ま
れる場合、左副腕３．２と右副腕４．２を折り返すことができない。第１の弾性ブロック
２８と第２の弾性ブロック２９は弾性のあるプラスチック製の一体構造であり、第２の弾
性ブロック２９を外側にかき出すと、ストッパ２７が係合穴８１から外れる場合、左副腕
３．２と右副腕４．２を内側に折り返すことができる。図２に示される開き状態のハンガ
ーを図１に示される状態に折りたたむ必要がある場合、まず左副腕３．２と右副腕４．２
を折りたたむ。
【００２９】
左副腕３．２と右副腕４．２の内部にはそれぞれ中空になるように構成され、左副腕３．
２と右副腕４．２に側孔３１がそれぞれ設けられ、２つの側孔３１からフック２１の先端
と下端をそれぞれ通させ、左主腕３．１と右主腕４．１の外壁に収納溝３２がそれぞれ設
けられ、２つの収納溝３２により左副腕３．２と右副腕４．２の先端がそれぞれ嵌め込ま
れる。左副腕３．２と右副腕を折りたたむと、左腕３と右腕４全体をメインフレーム１の
先端の位置に向けて折りたたんで寄せ、左副腕３．２と右副腕４．２の内部にはそれぞれ
中空になるように構成されるため、左主腕３．１は一部を右副腕４．２に差し込むことが
でき、右主腕４．１は一部を左副腕３．２に差し込むことができ、それにより収納後の体
積を最小限に抑える。
【００３０】
実施例２．図８−図１２に示すように、左主腕３．１と右主腕４．１の先端の内左側には
円弧状の溝１２がそれぞれ設けられ、円弧状の溝１２の上下の両端にはそれぞれ第１のス
トッパ溝１２１と第２のストッパ溝１２２があり、円弧状の溝１２の内下端にはフラップ
１２３があり、フラップ１２３の先端には第３のストッパ溝１２３１があり、左主腕３．
１における第１のストッパ溝１２１、第２のストッパ溝１２２、第３のストッパ溝１２３
１により第１の突起部５が嵌め込まれ、右主腕４．１における第１のストッパ溝１２１、
第２のストッパ溝１２２、第３のストッパ溝１２３１により第２の突起部６が嵌め込まれ
る。
【００３１】
メインフレーム１の底部正面に取付け溝１３が設けられ、取付け溝１３の上端と下端には
第１の収容溝１４とパンチ穴１５がそれぞれ設けられ、第２の突起部６はパンチ穴１５を
通して、またパンチ穴１５と摺動可能に係合され、第１の収容溝１４の下端に第１のフラ
ップ１６が設けられ、スイッチ２．１の裏面に第２の収容溝１７が設けられ、第２の収容
溝１７の先端に第２のフラップ１８が設けられ、ばね２．２が第１の収容溝１４に収容さ
れ、ばね２．２が第１のフラップ１６と第２のフラップ１８との間に係止されたように、
ばね２．２の一端が第２の収容溝１７に差し込まれ、メインフレーム１の中央には透孔１
．２があり、スイッチ２．１の先端には取付け溝１３の先端にある開口部に沿って透孔１
．２に延長される押え板１９があり、押え板１９の先端には凹みのある溝があり、指を透
孔１．２に差し込むことに利便性を提供し、スイッチ２．１にはボス９が通り抜けてボス
９と摺動可能に係合されるスライド穴２０が設けられる。
【００３２】
実施例２と実施例１との違いは、実施例２において、スイッチ２．１の方向を水平に１８
０度反転させて、透孔１．２を増やしており、実施例２におけるスイッチ２．１に係合さ
せるために、実施例２におけるメインフレーム１上の第１の収容溝１４と穿孔１５に対し
ても上下位置を互いに変換させ、左主腕３．１、右主腕４．１内の円弧状の溝１２、フラ
ップ１２３及び他の一部の部品に対しても実施例１と反対になるように設けられる。使用
時、実施例１におけるハンガーよりも実施例２におけるハンガーは折りたたんだ後に体積
が比較的小さいが、複数のハンガーを一緒にかけることはできないことである。
【００３３】
実施例３．図１３に示すように、実施例３と実施例１、２との違いは、ピボット２２の前
後両側に内側の穴２５がそれぞれ設けられ、左主腕３．１と右主腕４．１の先端前後両側
内壁に凸点２６がそれぞれ設けられ、凸点２６は内側の穴２５に嵌め込まれて、内側の穴
２５と回転可能に係合されることである。
【００３４】
当然ながら、以上は本発明の好ましい実施例に過ぎず、そのために本発明の特許請求の範
囲に制限されるものではなく、本発明の明細書及び図式の内容を利用して行われる簡易修
飾及び等価構造の変化は、すべて本発明の特許請求の範囲内として保護されるべきもので
ある。
【図１】
2020179111.tif 000003
【図２】
2020179111.tif 000004
【図３】
2020179111.tif 000005
【図４】
2020179111.tif 000006
【図５】
2020179111.tif 000007
【図６】
2020179111.tif 000008
【図７】
2020179111.tif 000009
【図８】
2020179111.tif 000010
【図９】
2020179111.tif 000011
【図１０】
2020179111.tif 000012
【図１１】
2020179111.tif 000013
【図１２】
2020179111.tif 000014
【図１３】
2020179111.tif 000015